(57)【要約】      （修正有）【課題】機器収納用ラックへの機器取り付け作業を容易にするマウントレールの背面側構造を提供する。【解決手段】マウントレール４は、マウント金具取り付け部と通信機器取付部とを形成し、背面側マウント金具取り付け部には、マウントアングル２に設けられた取り付け穴に対向するガイドピンを突設し、マウントレール４の内側に板ばね１３を設けると共に、板ばね１３上にマウントアングル４に係合可能である係合片を取り付け、機器収納用ラック１の前面側からマウントレール４を背面側マウントアングル２ａに取り付け可能とする。【選択図】図２
2009206129.tif 000002
【特許請求の範囲】
【請求項１】
機器収納用ラックに設けられた前面側マウントアングルと背面側マウントアングルとに渡して用いる、通信機器を装着するためのマウントレールの背面側構造であって、該マウントレールは、マウント金具取り付け部と通信機器取付部とを形成し、背面側マウント金具取り付け部には、前記マウントアングルに設けられた取り付け穴に対向するガイドピンを突設し、前記マウントレールの内側に板ばねを設けると共に、該板ばね上に前記マウントアングルに係合可能である係合片を取り付け、前記機器収納用ラックの前面側から前記マウントレールを前記背面側マウントアングルに取り付け可能とすることを特徴とするマウントレールの背面側構造。
【発明の詳細な説明】
【技術分野】
【０００１】
本発明は、機器収納用ラックに設けられた前面側マウントアングルと背面側マウントアングルとに渡して用いる、通信機器を装着するためのマウントレールの背面側構造に関するものである。
【背景技術】
【０００２】
機器収納用ラックには四隅にマウントアングルが設けられており、マウントアングルに直接通信機器をねじ止め等により固定したり、マウントレール等を介して機器を取り付けたりしていた。近年の情報化に伴い、通信機器の利用が増え、機器収納用ラックには密集して通信機器が取り付けられている。通信機器本体も小型化し、できるだけ省スペースとなるような機器収納用ラックの取り付け構造が採用されており、これらの機器は機器収納用ラックに棚状に積み上げられ収納されていた。
【特許文献１】特開２００３−１５９１２９号公報
【発明の開示】
【発明が解決しようとする課題】
【０００３】
上記示した機器収納用ラックでは、小型化や省スペース化を望むあまり、機器の取り付け作業がしづらいという欠点があった。例えば、何段にも分けて機器収納用ラックに収納されている機器を一段撤去する場合、一段分のスペースは狭く、マウントレールの取り付け取り外し作業が困難であり、隣接する段の一旦取り外したり、機器収納用ラック本体の側面を開放したりして作業のスペースを確保しなくてはならなかった。
【課題を解決するための手段】
【０００４】
そこで本発明は、機器収納用ラックへの機器取り付け作業を容易にするマウントレールの背面側構造を提供することを目的とし、その構造は、マウントレールは、マウント金具取り付け部と通信機器取付部とを形成し、背面側マウント金具取り付け部には、マウントアングルに設けられた取り付け穴に対向するガイドピンを突設し、マウントレールの内側に板ばねを設けると共に、板ばね上にマウントアングルに係合可能である係合片を取り付け、機器収納用ラックの前面側からマウントレールを背面側マウントアングルに取り付け可能とすることを特徴とする。
【発明の効果】
【０００５】
本発明に係るマウントレールの背面側構造は、マウント金具取り付け部と通信機器取付部とを形成し、背面側マウント金具取り付け部には、マウントアングルに設けられた取り付け穴に対向するガイドピンを突設し、マウントレールの内側に板ばねを設けると共に、板ばね上にマウントアングルに係合可能である係合片を取り付け、機器収納用ラックの前面側からマウントレールを背面側マウントアングルに取り付け可能とするため、マウントレールを取り付ける作業は、機器収納用ラックの前面側から行うことができ、作業効率が上昇する。また、通信機器がマウントレールに設置された状態では、係合片が容易に脱落しないので安全且つ確実な設置が可能である。マウントレールを取り外す作業は、板ばねを緩めて係合を解除する簡単な操作で行え、作業効率が良い。
【発明を実施するための最良の形態】
【０００６】
本発明に係るマウントレールの背面側構造の実施例を図１〜図４の添付図面に基いて説明する。
【０００７】
機器収納用ラック１には、四隅にマウントアングル２が設けられている。通信機器３類は、マウントアングル２に直接ねじ止めしたり、マウントアングル２に棚板を取り付け、棚板上に載置したり、前後のマウントアングル２にマウントレール４を渡し、マウントレール４に通信機器３を支持させるといった方法で機器収納用ラック１に収納している。本発明は、通信機器３を支持するマウントレール４の背面側構造に関する。
【０００８】
マウントアングル２は、機器取り付け部５と支持部６とを折曲形成しており、機器取り付け部５には角穴形状のケージ穴７を形成している。１Ｕサイズの通信機器３の高さ寸法は、ケージ穴７の３つ分に相当する。
【０００９】
マウントレール４は、アングル取り付け部８と機器支持部９とで構成され、機器支持部９には溝１０が設けられている。
【００１０】
背面側マウントアングル２ａに接続されるマウントレール４のアングル取り付け部８には、背面側マウントアングル２ａに設けられたケージ穴７に対向する間隔で、ガイドピン１１を突設する。図３〜図４では、１Ｕサイズの通信機器３の固定構造について示しており、マウントレール４には、背面側マウントアングル２ａに設けられたケージ穴７の３つのうち最上部と最下部に対向する位置に、それぞれガイドピン１１ａ，１１ｂを突設する。
【００１１】
マウントレール４には、機器支持部９からアングル取り付け部８にかけて貫通口１２を設ける。マウントレール４に設けられた二つのガイドピン１１ａ，１１ｂの間には板ばね１３を配置しすると共に、貫通口１２から背面側へ突設させ、マウントレール４の内側にも露出した状態である。板ばね１３上には係合片１４を取り付ける。板ばね１３の付勢により、マウントレール４を背面側マウントアングル２ａにセットした状態で係合片１４はマウントレール４に押し付けられるものである。
【００１２】
マウントレール４の背面側マウントアングル２ａへの装着方法について説明する。装着は、機器収納用ラック１の前面側から行うことができる。マウントレール４のアングル取り付け部８を一旦、背面側マウントアングル２ａより奥へ差し込む。ガイドピン１１ａ，１１ｂを背面側マウントアングル２ａのケージ穴７に対向させ、マウントレール４を手前に引きながらマウントレール４の取り付け位置を定める。ケージ穴７にガイドピン１１ａ，１１ｂを嵌め込んだとき、板ばね１３に設けられた係合片１４が、板ばね１３の付勢力により背面側マウントアングル２ａに引っ掛かり、マウントレール４が背面側マウントアングル２ａに仮固定される。仮固定された状態で、前面側マウントアングル２ａにマウントレール４を仮固定する。
【００１３】
前面側でもマウントレール４をマウントアングル２に固定し、マウントレール４にはサーバー等の通信機器３を取り付ける。マウントレール４には溝１０が形成されており、取り付ける通信機器３の側面にはピン１５が設けられ、溝１０にピン１５を通すことで通信機器３をマウントレール４に取り付ける。
【００１４】
マウントレール４に通信機器３が取り付けられると、板ばね１３は通信機器３により外側に押されることとなり、係合片１４がマウントレール４から容易に外れてしまわない構造である。
【００１５】
マウントレール４を撤去する場合には、通信機器３を取り外してから、板ばね１３の端部を押すという簡単な操作で、係合片１４の背面側マウントアングル２ａへの係合を解除でき、容易にマウントレール３を取り外すことができる。
【００１６】
省スペース化を図るため、多種の小型化された機器を密集させて機器収納用ラックに収納されるため、機器収納用ラックの前面側から、機器類の側面側へ手を入れることが難しい。本発明においては、機器収納用ラックの背面側マウントアングルへのマウントレールの取り付け取り外しを容易にし、マウントレールの取り付けの際には機器収納用ラックの前面側から作業できるようになっており、大変作業効率が良い。
【図面の簡単な説明】
【００１７】
【図１】通信機器の構造を示す説明図である。
【図２】図１における通信機器をマウントアングルに取り付けた状態を示す説明図である。
【図３】本発明に係るマウントレールの背面側構造を示す説明図である。
【図４】図３におけるマウントレールの背面側構造を内側から望んだ説明図である。
【符号の説明】
【００１８】
１      機器収納用ラック
２      マウントアングル
２ａ    背面側マウントアングル
３      通信機器
４      マウントレール
５      機器取り付け部
６      支持部
７      ケージ穴
８      アングル取り付け部
９      機器支持部
１０    溝
１１    ガイドピン
１１ａ  上側のガイドピン
１１ｂ  下側のガイドピン
１２    貫通口
１３    板ばね
１４    係合片
１５    ピン
【図１】
2009206129.tif 000003
【図２】
2009206129.tif 000004
【図３】
2009206129.tif 000005
【図４】
2009206129.tif 000006